(57)【要約】【課題】噴霧液の漏水を防止し且つ常に脱気機能を維持することが可能な噴霧装置の貯液タンクを提供することを目的とする。【解決手段】本発明に係る噴霧装置の貯液タンク８０によれば、脱気口９２を通気性と撥水性とを備えた気体透過シート９４で塞ぐことによって、脱気口９２からの噴霧液の漏水を防止することができる。また、脱気口９２をタンク本体８０ａのそれぞれ異なる側の辺縁部近傍に複数形成することで、噴霧装置１００の設置された車両等が如何なる斜面に駐停車した場合でも全ての脱気口９２が同時に噴霧液で塞がれることはない。従って、いずれかの脱気口９２が常に脱気機能を維持し、貯液タンク８０内の内圧の変化を防止することができる。【選択図】図４
2010007897.tif 000002
【特許請求の範囲】
【請求項１】
ミスト化した噴霧液を空間に噴霧する噴霧装置の貯液タンクにおいて、
前記噴霧液を貯留するタンク本体と、
前記タンク本体上部の少なくとも辺縁部近傍に形成される気体室と、
当該気体室における前記タンク本体の辺縁部近傍に形成される複数の脱気口と、
当該脱気口を塞ぐ通気性と撥水性とを備えた気体透過シートと、
を有することを特徴とする噴霧装置の貯液タンク。
【発明の詳細な説明】
【技術分野】
【０００１】
本発明は、空間にミストを噴霧する噴霧装置の貯液タンクに関し、特に貯液タンク内の噴霧液の漏水を防止する噴霧装置の貯液タンクに関するものである。
【背景技術】
【０００２】
空間に水等の噴霧液をミスト化して噴霧し加湿を行う噴霧装置は、体感温度の上昇による暖房効率の向上や空気中の病原体や花粉の飛散を抑制し人体の健康維持等に極めて有益である。そして近年、車両等の室内に設置するタイプの噴霧装置が商品化されている。このような車内に設置する噴霧装置の例としては、下記［特許文献１］に開示された発明が挙げられる。
【０００３】
【特許文献１】特開２００７−３１５６３３号公報
【発明の開示】
【発明が解決しようとする課題】
【０００４】
一般的な噴霧装置の貯液タンクには、気温変化に伴う貯液タンク内の内圧の変化を防止するために脱気口が設けられている。しかしながら、噴霧装置を特に車両内等に設置する場合、車両の移動時に貯液タンク内の噴霧液が大きく揺れ脱気口から噴霧液が漏水する危険性がある。また、車両等を斜面などに駐停車した場合には、漏水の危険性に加え脱気口が噴霧液で塞がれて機能しなくなる可能性がある。
【０００５】
本発明は上記事情に鑑みてなされたものであり、噴霧液の漏水を防止し且つ常に脱気機能を維持することが可能な噴霧装置の貯液タンクを提供することを目的とする。
【課題を解決するための手段】
【０００６】
本発明は、
ミスト化した噴霧液を空間に噴霧する噴霧装置の貯液タンクにおいて、
前記噴霧液を貯留するタンク本体８０ａと、
前記タンク本体８０ａ上部の少なくとも辺縁部近傍に形成される気体室９０と、
当該気体室９０における前記タンク本体８０ａの辺縁部近傍に形成される複数の脱気口９２と、
当該脱気口９２を塞ぐ通気性と撥水性とを備えた気体透過シート９４と、
を有することを特徴とする噴霧装置の貯液タンク８０を提供することにより、上記課題を解決する。
【発明の効果】
【０００７】
本発明に係る噴霧装置の貯液タンクは、上記の構成により、
脱気口を通気性と撥水性とを備えた気体透過シートで塞ぐことによって、脱気口からの漏水を防止することができる。
また、脱気口をタンク本体のそれぞれ異なる側の辺縁部近傍に複数形成することで全ての脱気口が同時に噴霧液で塞がれることを防止する。このため、脱気機能を常に維持することができる。
【発明を実施するための最良の形態】
【０００８】
本発明に係る噴霧装置の貯液タンクの実施の形態について図面に基づいて説明する。図１は、本発明に係る貯液タンクを備えた噴霧装置の設置例を示す図である。図２は、本発明に係る貯液タンクを備えた噴霧装置の設置部を示す図である。図３は、本発明に係る貯液タンクを備えた噴霧装置のタンクユニットを示す図である。図４は、本発明に係る貯液タンクの上面図及び断面図である。図５は、本発明に係る貯液タンクの脱気口の配置例を示す図である。
【０００９】
先ず、本発明に係る噴霧装置の貯液タンクを用いた車載用の噴霧装置１００の例を図１〜図３を用いて説明する。尚、本発明は車載用の噴霧装置に好適なものであるが、特に車載用に限定されるものではなく車載用以外の噴霧装置の貯液タンクに適用しても良い。
【００１０】
図１に示す噴霧装置１００は、車両の天井部１に設置される設置部３０と、ミストとなる噴霧液を貯留する貯液タンク８０を備え設置部３０に着脱可能なタンクユニット４０と、を有している。そして、噴霧装置１００は車両のバッテリ等から電源ケーブル１２を介して電力を取得し、噴霧装置１００の各部に対し電力を供給する。また、設置部３０とタンクユニット４０とは、着脱ボタン５０を操作することにより容易に取り外すことができる。尚、設置部３０には必要に応じて空調設備や照明等の付随設備１０を設けても良い。本例においては、付随設備１０として車内を照らすルームライトを設けた例を示す。
【００１１】
次に、上記の設置部３０とタンクユニット４０とを、図２、図３を用いて更に詳しく説明する。
【００１２】
図２は、タンクユニット４０を取り外した状態の設置部３０をタンクユニット４０の設置面側、即ち噴霧装置１００の設置状態における下方向から示した図である。噴霧装置１００の設置部３０は、タンクユニット４０とは別に独立して動作する付随設備１０と、電源ケーブル１２と、タンクユニット４０を取り外す際に押下する着脱ボタン５０と、タンクユニット４０が設置可能な取り付け部３８と、を有している。また、設置部３０の内部には、付随設備１０及び設置部３０の各部を制御する制御部と、電源ケーブル１２から供給される電力を付随設備１０とタンクユニット４０とに供給する電力供給部と、を備えた設置部制御基板３４を有している。また、設置部制御基板３４の所定の位置には接触型の電源コネクタ３６ａが設置され、設置部３０はこの電源コネクタ３６ａを介してタンクユニット４０に電力を供給する。
【００１３】
設置部３０の取り付け部３８の両側面には保持体６２が形成され、この保持体６２とタンクユニット４０のストッパリブ６０とを係合することで、設置部３０にタンクユニット４０を取り付けることができる。また、取り付け部３８におけるタンクユニット４０の設置面には、設置部３０を車両の天井部１などにネジ等の締結部材を用いて固定するための設置孔１４と、設置部制御基板３４上の電源コネクタ３６ａを露出させるための電源コネクタ口３３ａと、タンクユニット４０の取り外し操作に用い着脱ボタン５０と連動して動作するホック部５２と、同じく着脱ボタン５０と連動してタンクユニット４０の取り外し方向に突出する着脱リブ５６と、を有している。
【００１４】
また図３は、設置部３０から取り外した状態のタンクユニット４０をタンクユニット４０の設置面側、即ち噴霧装置１００の設置状態における上方向から示した図である。噴霧装置１００のタンクユニット４０内には、ミストとなる噴霧液を貯留する本発明に係る貯液タンク８０が設置されている。また、タンクユニット４０には、貯液タンク８０に貯留された噴霧液をミスト化し噴霧口７２から空間に噴霧するミスト噴霧手段７０と、設置部３０のホック部５２と係合する受け部５４と、を有している。更に、タンクユニット４０の両側面には、設置部３０の保持体６２と係合可能なストッパリブ６０が形成されている。
【００１５】
また、貯液タンク８０は、噴霧液を貯留するタンク本体８０ａと、タンク本体８０ａ内に噴霧液を供給するための供給口８２と、供給口８２を開閉するためのキャップ８２ａと、タンクユニット４０を設置部３０に設置したときにタンク本体８０ａの上部に位置するとともにタンク本体８０ａの辺縁部近傍を含んで形成される気体室９０と、気体室９０におけるタンク本体８０ａの辺縁部近傍に形成される複数の脱気口９２と、を有している。
【００１６】
また、タンクユニット４０の内部には、ミスト噴霧手段７０を制御する噴霧手段制御部を備えるとともにタンクユニット４０の各部を制御するタンクユニット制御基板４６が設置されている。また、タンクユニット制御基板４６は、設置部３０の電源コネクタ３６ａと接触することで設置部３０から電力を取得する電源コネクタ３６ｂを有しており、電源コネクタ３６ｂはタンクユニット４０の所定の位置に形成された電源コネクタ口３３ｂにより露出している。尚、電源コネクタ口３３ｂには、貯液タンク８０への供給時に噴霧液等が電源コネクタ３６ｂに付着することを防止するスライド式の保護カバー１６を設けても良い。
【００１７】
噴霧液としては水道水の他、保湿性を有するヒアルロン酸水溶液や芳香成分が溶解した水溶液等、人体に悪影響を及ぼさない各種の液体を用いることができる。また、噴霧液に電解液を用いるとともに、タンクユニット４０の所定の部位に貯液タンク８０内に貯留された噴霧液（電解液）を電解する電解手段を設け、電解手段で電解された電解液をミスト化して空間に噴霧するようにしても良い。この構成によれば、噴霧される電解液の効果により空間に存在する病原体や花粉による健康被害をさらに抑制することが可能となる。尚、一般的な水道水中には消毒のための次亜塩素酸化合物が溶解しており、この次亜塩素酸化合物は水の電解を助けるため水道水をそのまま電解液として使用しても良い。
【００１８】
また、タンクユニット４０には、貯液タンク８０内の噴霧液が凍結した場合に、凍結した噴霧液を融解させるための加熱手段を設けても良い。
【００１９】
尚、上記の噴霧装置１００では、タンクユニット４０側にミスト噴霧手段７０と噴霧手段制御部とを設けた例を用いているが、噴霧手段制御部を設置部制御基板３４上に形成するとともにミスト噴霧手段７０を設置部３０側に設けても良い。
【００２０】
次に、噴霧装置１００の使用法を説明する。先ず、設置部３０の電源ケーブル１２と車両のバッテリ等からのケーブルとを接続する。次に、設置部３０の着脱ボタン５０を押下して、設置部３０のホック部５２とタンクユニット４０の受け部５４との係合状態を解除する。このとき、着脱リブ５６が突出してタンクユニット４０が取り外し方向に所定量スライドする。そして、設置部３０の保持体６２からタンクユニット４０のストッパリブ６０を取り外すことで、設置部３０からタンクユニット４０を取り外す。次に、設置部３０の設置孔１４に所定の締結部材を挿入し、設置部３０を車両の天井部１などに固定する。
【００２１】
次に、貯液タンク８０のキャップ８２ａを取り外し供給口８２を開栓する。また、保護カバー１６をスライドさせて電源コネクタ口３３ｂを閉鎖する。次に、供給口８２から例えば水道水などの噴霧液を貯液タンク８０内に供給する。そして、貯液タンク８０内に所定量の噴霧液が貯留されたところで供給を停止し、キャップ８２ａを供給口８２に取り付けて供給口８２を閉栓する。
【００２２】
次に、保護カバー１６をスライドさせてタンクユニット４０の電源コネクタ口３３ｂを開け電源コネクタ３６ｂを露出させた後、タンクユニット４０のストッパリブ６０と設置部３０の保持体６２とを係合するとともに、設置部３０のホック部５２とタンクユニット４０の受け部５４とを係合状態とする。これにより、タンクユニット４０は設置部３０の取り付け部３８に取り付けられる。このとき、設置部３０の電源コネクタ３６ａとタンクユニット４０の電源コネクタ３６ｂとは接続状態となり、タンクユニット４０に対し電源コネクタ３６ａ、３６ｂを介して電力が供給される。
【００２３】
次に、噴霧装置１００の図示しないミスト噴霧スイッチを操作する。これにより、噴霧手段制御部がミスト噴霧手段７０を動作させ、ミスト噴霧手段７０は貯液タンク８０から吸液した噴霧液をミスト化して噴霧口７２から空間に噴霧する。また、付随設備１０に対する図示しない付随設備操作スイッチを操作することで、噴霧装置１００の付随設備１０がミスト噴霧手段７０とは別に独立して所定の動作を行う。
【００２４】
次に、本発明に係る噴霧装置の貯液タンク８０を図４を用いてさらに詳しく説明する。図４（ａ）は本発明に係る貯液タンク８０を示す上面図である。また、図４（ｂ）は、図４（ａ）に示す貯液タンク８０のＸ−Ｘでの断面図である。
【００２５】
前述のように、貯液タンク８０はタンク本体８０ａと、タンク本体８０ａの上部にタンク本体８０ａにおけるそれぞれ異なる側の辺縁部近傍を含んで形成された気体室９０と、気体室９０におけるタンク本体８０ａのそれぞれ異なる側の辺縁部近傍に形成された複数の脱気口９２と、を有している。そして、気体室９０は、図４（ｂ）に示すように、貯液タンク８０の供給口８２より上方に位置しているため、供給口８２から噴霧液を供給した場合でも気体室９０が噴霧液で満たされることはない。また、脱気口９２には脱気口９２を塞ぐように気体透過シート９４が設置されている。気体透過シート９４は通気性と撥水性とを兼ね備えたポリテトラフルオロエチレン樹脂などの多孔質膜等が用いられ、気体室９０内の空気を透過可能としながら噴霧液の通過を妨げ、脱気口９２からの噴霧液の漏水を防止する。
【００２６】
そして、この脱気口９２が存在することにより、外気温が上昇し貯液タンク８０内の空気が膨張したときでも、膨張した空気は気体透過シート９４を透過して脱気口９２から速やかに貯液タンク８０外に放出される。従って、貯液タンク８０の内圧が上昇することはない。また、脱気口９２はタンク本体８０ａのそれぞれ異なる側の辺縁部近傍に複数形成されているため、例えば噴霧装置１００の設置された車両等が斜面に駐停車した場合でも全ての脱気口９２が同時に噴霧液で閉塞することはない。従って、いずれかの脱気口９２が常に脱気機能を維持することができる。
【００２７】
次に、脱気口９２の配置例を図５に示す。尚、図５においては、便宜的にタンク本体８０ａと脱気口９２と気体室９０のみを示し、その他の部位に関する記載は省略する。前述のように脱気口９２はタンク本体８０ａのそれぞれ異なる側の辺縁部近傍、即ち車両等の設置体３に対して前後左右方向を網羅するように配置する必要がある。従って、脱気口９２を２つとする場合には、図５（ａ）に示すように、設置体３の略対角線方向に沿うようにタンク本体８０ａの辺縁部近傍に配置する。この配置例によれば一方の脱気口９２が左方向及び前方向を網羅しもう一方の脱気口９２が右方向及び後方向を網羅している。脱気口９２を３つ設ける場合には、例えば図５（ｂ）に示すように、タンク本体８０ａ（設置体３）の一辺方向（図５（ｂ）では、右方向）の前方向及び後方向にそれぞれ１つずつ脱気口９２を配置し、上記の一辺方向と逆側の辺方向に１つの脱気口９２を配置する。尚、図５（ｂ）では１つの脱気口９２を左方向の中央部分に配置する例を用いているが、図５（ｃ）に示すように、脱気口９２は設置体３の略対角線方向に沿うように配置することがより好ましい。また、脱気口９２を４つ設ける場合には、図５（ｄ）に示すように、タンク本体８０ａ（設置体３）の略四隅方向に配置することが好ましい。
【００２８】
また、気体室９０は貯液タンク８０の上部の全面に形成する必要はなく、図５（ｅ）に示すように、少なくとも貯液タンク８０の辺縁部近傍の前後左右方向を網羅するように形成すれば良い。さらに、気体室９０は図５（ｆ）に示すように、必要に応じて分割して形成しても良い。上記のことは、例えば図５（ｇ）に示すように、貯液タンク８０が円形や楕円形、多角形等どのような形状をとっても基本的に同様である。そして、気体室９０の形状及び脱気口９２の配置は基本的に上記の条件を満たした上で、貯液タンク８０、設置部３０の形状及び噴霧装置１００に付随する各部の設置位置等に応じて適宜変更することができる。
【００２９】
以上のことから、本発明に係る噴霧装置の貯液タンク８０によれば、脱気口９２を通気性と撥水性とを備えた気体透過シート９４で塞ぐことによって、脱気口９２からの噴霧液の漏水を防止することができる。また、脱気口９２をタンク本体８０ａのそれぞれ異なる側の辺縁部近傍に複数形成することで、噴霧装置１００の設置された車両等が如何なる斜面に駐停車した場合でも全ての脱気口９２が同時に噴霧液で塞がれることはない。従って、いずれかの脱気口９２が常に脱気機能を維持し、貯液タンク８０内の内圧の変化を防止することができる。
【００３０】
尚、本発明は本発明の要旨を逸脱しない範囲で変更して実施することが可能である。
【図面の簡単な説明】
【００３１】
【図１】本発明に係る貯液タンクを備えた噴霧装置の設置例を示す図である。
【図２】本発明に係る貯液タンクを備えた噴霧装置の設置部を示す図である。
【図３】本発明に係る貯液タンクを備えた噴霧装置のタンクユニットを示す図である。
【図４】本発明に係る貯液タンクの上面図及び断面図である。
【図５】本発明に係る貯液タンクの脱気口の配置例を示す図である。
【符号の説明】
【００３２】
８０      貯液タンク
８０ａ    タンク本体
９０      気体室
９２      脱気口
９４      気体透過シート
【図１】
2010007897.tif 000003
【図２】
2010007897.tif 000004
【図３】
2010007897.tif 000005
【図４】
2010007897.tif 000006
【図５】
2010007897.tif 000007